(57)【要約】【課題】優れた防水性能を有し、施工が簡単で配管スペースを新たに設ける必要がなく、メンテナンスも容易に行える防水構造体を提供する。【解決手段】防水パン１の四周縁に沿って下側に排水予備樋２ａ，２ｂ，２ｃ，２ｄを配設し、防水パン１の前縁沿いの排水予備樋２ａの前側板と防水パン１の前側板１ａとの間の空間部に縦排水管４に通じる横排水管３を配管し、横排水管から側方に突き出した排水口（チーズ継手３ａの余った接続口３ｃ）を、防水パン１の前側板（切欠部１ｑに取付けた点検用パネル１ｒ）を貫通させて内側の排水溝１ｎに望ませた構成の防水構造体とする。横排水管や防水パンの四周から漏水しても排水予備樋で受け止めるので優れた防水性能を有し、横排水管の配管スペースを防水パンの排水溝の下側に確保する必要がなく施工が簡単であり、点検用パネルを外して裏側を点検できるのでメンテナンスが容易である。【選択図】図１
2006193961.tif 000002
【特許請求の範囲】
【請求項１】
方形の平面形状を有する防水パンの四周縁に沿って下側に排水予備樋を配設し、防水パンの前縁沿いに配設した排水予備樋の前側板と防水パンの前側板との間の空間部に縦排水管に通じる横排水管を配管すると共に、この横排水管から側方に突き出した排水口を防水パンの前側板を貫通させて防水パンの内側の排水溝に望ませたことを特徴とする防水構造体。
【請求項２】
防水パンの前縁を一部切欠き、この切欠き部分に点検用パネルを水密的に脱着可能に取付けると共に、横排水管から側方に突き出した排水口をこの点検用パネルを貫通させて防水パンの内側の排水溝に望ませたことを特徴とする請求項１に記載の防水構造体。
【請求項３】
三方に接続口を有するチーズ継手を横排水管の途中に設け、このチーズ継手の余った接続口を横排水管から側方に突き出した排水口として、防水パンの内側の排水溝に望ませたことを特徴とする請求項１又は請求項２に記載の防水構造体。
【請求項４】
防水パンの内側の排水溝に望ませた排水口にゴミ除けカバーを取付けたことを特徴とする請求項１ないし請求項３のいずれかに記載の防水構造体。
【請求項５】
防水パンが複数の分割パンを接合したものであって、分割パン相互の接合部分は、一方の分割パンの支持端縁に防水パッキンを介して他方の分割パンの押え端縁を重ねて止具で固定してあり、且つ、支持端縁には水抜き溝を形成してその端部の溝底に水抜き孔を形成してあることを特徴とする請求項１ないし請求項４のいずれかに記載の防水構造体。
【発明の詳細な説明】
【技術分野】
【０００１】
本発明は、バルコニー等に施工される防水パンを用いた防水構造体に関する。
【背景技術】
【０００２】
従来より、バルコニー等の床は、合成樹脂製の防水パンを敷設することによって防水されている。合成樹脂製の防水パンとしては、例えば、四周に側板を備えた方形の平面形状を有する防水パンであって、その前縁沿いに排水溝を凹設し、該排水溝の一端部の溝底に排水口を形成したものが知られている（特許文献１、第１１図参照）。かかる防水パンは、バルコニー等の床に敷設されて排水口に竪樋等が接続され、防水パン内の雨水等が排水溝の傾斜した底面を流れて排水口から竪樋等へ排水されるようになっている。
【０００３】
しかしながら、上記の防水パンは、その左右寸法が大きくなって排水溝が長くなるほど、排水溝の底面の傾斜角（流れ勾配）が小さくなるため、雨水等の流れが悪くなって排水性が低下するという不都合があった。
【０００４】
そこで、本出願人は、排水溝の底面を排水溝の中央から両端に近づくほど低くなるように従来よりも大きく傾斜させ、排水溝の両端部の底面に排水口をそれぞれ形成した防水パンを既に提案した（特願２００３−１７５６９７）。この防水パンは、一方の排水口に縦排水管を接続すると共に、この縦排水管に通じる横排水管を他方の排水口に接続して施工され、防水パン内の雨水等が排水溝の傾斜角の大きい底面を左右に流れて両端部の排水口から横排水管及び縦排水管を通じて効率良く排水されるものである。尚、この防水パンは、未だ公開されていない。
【０００５】
ところで、この防水パンのように横排水管を他方の接続口に接続したものは、必然的に横排水管を排水溝の下側に配管することになるが、バルコニーの床によっては、この横排水管を配管するスペースを排水溝の下側に確保し難い場合があり、その場合にはバルコニーの床に配管スペースを新たに設けなければならないという面倒さがあった。しかも、横排水管が防水パンの排水溝の下側に配管されていると、雨水等が横排水管の接続部分から漏れ出す恐れがないとは言えず、また、防水パンの四周の防水が万一不完全であれば、防水パンの四周から雨水等が漏れ出す恐れもあることから、防水性をより一層高める必要があった。
【０００６】
更に、防水パンが分割タイプのものである場合は、分割された防水パンの接合部分からの漏水を確実に防止する必要があるため、本出願人は、防漏性に優れた接合構造として、接合すべき一方の防水パンの支持端縁に第一の防水パッキンと第二の防水パッキンを介して他方の防水パンの押え端縁を重ねると共に、ネジで双方の端縁を締着した接合構造を既に提案した（特許文献２）。この接合構造は優れた防漏性を発揮するものであるが、第一及び第二のパッキンの経時的な劣化に伴って漏水の恐れが出てくることから、これらのパッキンが劣化しても優れた防漏性を維持できる接合構造を開発して分割タイプの防水パンに採用する必要性もあった。
【特許文献１】特開２０００−８７４４４号公報
【特許文献２】特開平８−２０９９０６号公報
【発明の開示】
【発明が解決しようとする課題】
【０００７】
本発明は上記の事情に鑑みなされたもので、排水性が良く、優れた防水性能を有し、施工が簡単で配管スペースを新たに設ける必要がなく、メンテナンスも容易に行える、防水パンを用いた防水構造体を提供することを、解決すべき課題としている。
【課題を解決するための手段】
【０００８】
上記の課題を解決するため、本発明の防水構造体は、方形の平面形状を有する防水パンの四周縁に沿って下側に排水予備樋を配設し、防水パンの前縁沿いに配設した排水予備樋の前側板と防水パンの前側板との間の空間部に縦排水管に通じる横排水管を配管すると共に、この横排水管から側方に突き出した排水口を防水パンの前側板を貫通させて防水パンの内側の排水溝に望ませたことを特徴とするものである。
【０００９】
本発明の防水構造体においては、防水パンの前縁を一部切欠き、この切欠き部分に点検用パネルを水密的に脱着可能に取付けると共に、横排水管から側方に突き出した排水口をこの点検用パネルを貫通させて防水パンの内側の排水溝に望ませることが好ましい。また、三方に接続口を有するチーズ継手を横排水管の途中に設け、このチーズ継手の余った接続口を横排水管から側方に突き出した排水口として、防水パンの内側の排水溝に望ませることが好ましい。そして、防水パンの内側の排水溝に望ませた排水口にゴミ除けカバーを取付けることが好ましい。更に、防水パンが複数の分割パンを接合したものである場合、分割パン相互の接合部分は、一方の分割パンの支持端縁に防水パッキンを介して他方の分割パンの押え端縁を重ねて止具で固定し、且つ、支持端縁には水抜き溝を形成してその端部の溝底に水抜き孔を形成することが好ましい。
【発明の効果】
【００１０】
本発明の防水構造体のように、防水パンの四周縁に沿って下側に排水予備樋を配設してあると、横排水管の接続部分や防水パンの四周から漏水することがあったとしても排水予備樋で受け止められるため、優れた防水性を発揮することができる。そして、防水パンの前縁沿いに配設した排水予備樋の前側板と防水パンの前側板との間の空間部に横排水管を配管し、横排水管から側方に突き出した排水口を防水パンの前側板を貫通させて防水パンの内側の排水溝に望ませると、防水パンの排水溝の下側に横排水管の配管スペースを確保することが不要になって施工性が向上すると共に、防水パンの前側板を貫通して内側の排水溝に望む排水口から雨水等が横排水管を通じて効率良く排水される。
【００１１】
また、防水パンの前縁を一部切欠いて点検用パネルを水密的に脱着可能に取付け、横排水管から側方に突き出した排水口をこの点検用パネルを貫通させて防水パン内側の排水溝に望ませた防水構造体は、点検用パネルを取り外して防水パンの裏側や横排水管の点検、修理などを行えるのでメンテナンスが容易である。
【００１２】
そして、三方に接続口を有するチーズ継手を横排水管の途中に設け、このチーズ継手の余った接続口を、横排水管から側方に突き出した排水口として利用する防水構造体は、排水口の形成が容易であり、チーズ継手を設ける位置を変えることで接続口の位置を適宜変更することができる。
【００１３】
更に、防水パンの内側の排水溝に望ませた排水口にゴミ除けカバーを取付けた防水構造体は、ゴミ除けカバーによって排水口から横排水管へのゴミの侵入を阻止できるため、横排水管や縦排水管のゴミ詰まりをなくすことができる。
【００１４】
また、防水パンが複数の分割パンを接合したものであって、分割パン相互の接合部分が、一方の分割パンの支持端縁に防水パッキンを介して他方の分割パンの押え端縁を重ねて止具で固定してあり、且つ、支持端縁に水抜き溝を形成してその端部の溝底に水抜き孔を形成してある防水構造体は、経時的に防水パッキンが劣化して雨水等が支持端縁と押え端縁との隙間から浸入してきたとしても、浸入してきた雨水等は水抜き溝に流れ込んで端部の水抜き孔から排水予備樋に受け止められるため、漏水する心配はない。
【発明を実施するための最良の形態】
【００１５】
以下、図面を参照して本発明の具体的な実施形態を詳述する。
【００１６】
図１は本発明の一実施形態に係る防水構造体の分解斜視図、図２は同防水構造体の平面図、図３は図２のＡ−Ｂ線に沿った拡大断面図、図４は図２のＡ−Ｃ線に沿った拡大部分断面図、図５は図２のＤ−Ｄ線に沿った拡大部分断面図、図６は図２のＥ−Ｅ線に沿った拡大部分断面図、図７は防水パンの前縁の切欠き部分に点検用パネルを取付ける前の状態を示す部分斜視図、図８は防水パンの前縁の切欠き部分に点検用パネルを取付けた後の状態を示す部分斜視図、図９は排水口にゴミ除けカバーを取付けたところを示す部分斜視図、図１０は同防水構造体における横排水管と縦排水管の接続部分を示す断面図、図１１から図１３は同防水構造体の施工手順を説明する斜視図である。
【００１７】
この防水構造体は、図１に分解して示すように、互いに接合される左右の分割パン１１，１２からなる長方形の平面形状を備えた二分割タイプの防水パン１と、この防水パン１の四周縁に沿って下側に配設される排水予備樋２ａ，２ｂ，２ｃ，２ｄと、これらの排水予備樋を方形枠状に連結するコーナー部材２ｅと、防水パン１内の水を排水する横排水管３及び縦排水管４と、その他の各種部品によって構成されている。
【００１８】
防水パン１は、ポリエステル樹脂にガラス繊維を配合したＳＭＣ（シートモールディングコンパウンド）などの材料で成形された左右の分割パン１１，１２を水密的に接合したものであって、図１に示すように、左側の分割パン１１の前端と左端と後端には、前側板１ａと左側板１ｂと後側板１ｃが形成されており、右側の分割パン１２の前端と右端と後端にも、前側板１ａと右側板１ｄと後側板１ｃが形成されている。そして、左側の分割パン１１の右端には支持端縁１ｅが形成され、右側の分割パン１２の左端には、該支持端縁１ｅに重ねる押え端縁１ｆが形成されている。
【００１９】
左右の分割パン１１，１２は、図６に示すような接合構造で水密的に接合されている。即ち、左側の分割パン１１の支持端縁１ｅと、その上に重ねた右側の分割パン１２の押え端縁１ｆとの間に、第一の防水パッキン１ｇと第二の防水パッキン１ｈがそれぞれ挟着され、押え端縁１ｆの上からボルト１ｉが支持端縁１ｅの埋込みナット１ｊにねじ込まれている。そして、支持端縁１ｅの先端部分には、支持端縁１ｅの全長に亘って水抜き溝１ｋが形成され、この水抜き溝１ｋの端部（分割パン１１の前端側の端部）の溝底に水抜き孔１ｍが穿孔されている。
【００２０】
このような接合構造で左右の分割パン１１，１２が接合されると、支持端縁１ｅと押え端縁１ｆとの隙間からの水漏れが、第一及び第二の防水パッキン１ｇ，１ｈによって二重に阻止されるため、優れた防漏性が発揮される。そして、経時的に防水パッキン１ｇ，１ｈが劣化して水が支持端縁１ｅと押え端縁１ｆとの隙間から浸入してきたとしても、浸入してきた水は水抜き溝１ｋを通って端部の水抜き孔１ｍから排水予備樋１ａに落下して受け止められるため、漏水する心配はなく、優れた防漏性が維持される。
【００２１】
図１に示すように、左右の分割パン１１，１２はいずれも、その前側板１ａに沿って排水溝１ｎが形成されており、この排水溝１ｎの溝底には、中央部が最も深くなるように両端から中央部に向かって流れ勾配が付けられている。そして、分割パン１１，１２の裏面には、図３に示すように、補強リブの役目を兼ねた高さが少しずつ異なる複数の脚片１ｐが間隔をあけて形成されており、この分割パン１１，１２を接合した防水パン１をバルコニーの床面７ａに敷設すると、防水パン１（分割パン１１，１２）の表面が少し前下がりに傾斜するようになっている。従って、防水パン１（分割パン１１，１２）の表面の水は防水パン１の前端に向かって流れ、排水溝１ｎ，１ｎに流れ落ちて排水溝１ｎ，１ｎの中央部へ集められるようになっている。
【００２２】
図１、図７に示すように、分割パン１１，１２の前縁の中央部、つまり、前側板１ａと排水溝１ｎの中央部は切欠かれ、この切欠き部分１ｑに対応する形状の点検用パネル１ｒ（前側板部と排水溝部を備えた形状の点検用パネル）が水密的に脱着可能に取付けられるようになっている。具体的には、図４に示すように、点検用パネル１ｒの重ね端部１ｓと分割パン１１，１２（防水パン１）の切欠き端部１ｔとの間に防水パッキン１ｇを挟着し、重ね端部１ｓの上からボルト１ｉを切欠き端部１ｔの埋込みナット１ｊにねじ込むことによって、点検用パネル１ｒが分割パン１１，１２の切欠き部分１ｑに水密的かつ脱着可能に取付けられている。
【００２３】
防水パン１（分割パン１１，１２）の前側板１ａ、左側板１ｂ、後側板１ｃ、右側板１ｄは、いずれも上下中間部分に水平段部を有する屈曲板に形成されており、防水パン１（分割パン１１，１２）の前側板１ａは、水平段部の幅が他の側板１ｂ，１ｃ，１ｄのそれよりも広くなっている。そして、図５に示すように、前側板１ａの水平段部より下側部分と、防水パン１の前縁に沿って下側に配設された排水予備樋２ａの前側板２ｆとの間の空間部５に横排水管３が配管されている。
【００２４】
排水予備樋２ａ，２ｂ，２ｃ，２ｄはアルミニウムの押出形材又は合成樹脂の押出成形体からなるものであって、防水パン１の前縁に沿って下側に配設される排水予備樋２ａは幅が広く、図４、図５に示すように、防水パン１の前側板１ａ、排水溝１ｎ、点検用パネル１ｒ、横排水管３、後述するチーズ継手３ａなどを下方から受けるようになっている。これに対し、防水パン１の後縁に沿って下側に配設される図３に示す排水予備樋２ｃや、左右縁に沿って下側に配設される排水予備樋２ｂ，２ｄは、排水予備樋２ａよりも幅が狭く、防水パン１の後側板１ｃや左右側板１ｂ，１ｄを受けるようになっている。
【００２５】
上記の排水予備樋２ａは，図３〜図５に示すように、その前側板２ｆをバルコニーの壁面に当接させて防湿紙６ａを貼付けると共に、更に、防湿紙６ａの下端部にブチルテープ６ｂを重ねて貼付けることによって、バルコニー壁面との隙間から漏水しないように防水施工されており、同様に、排水予備樋２ｂ，２ｃ，２ｄも防水施工されている。そして、防水パン１の四周の側板１ａ，１ｂ，１ｃ，１ｄの上端がビード材６ｃ（ＥＰＤＭ）で防水処理され、防水パン１の四周の防水性が確保されている。このようにビード材６ｃで防水処理を行うと、風による雨水等の浸入を十分に防止できるが、ビード材６ｃの経時的な劣化により雨水等が浸入したとしても、浸入した水は排水予備樋２ａ，２ｂ，２ｃ，２ｄで受け止められて、後述するように縦排水管４へ排水されるため、漏水の心配はない。
【００２６】
上記の横排水管３には、図１に示すように、三方に接続口を有するチーズ継手３ａと伸縮継手３ｂが接続されており、図５に示すように、この横排水管３は排水予備樋２ａの前側板２ｆと防水パン１の前側板１ａとの間の空間部５に配管されている。そして、図４、図８に示すように、これらのチーズ継手３ａの余った側方の接続口３ｃは、横排水管から側方に突き出す排水口として、前記点検用パネル１ｒの開口１ｕを貫通して防水パン1（左右の分割パン１１，１２）の内側の排水溝１ｎにそれぞれ突き出しており、また、横排水管３の始端に接続されるチーズ継手３ａの不要な上流側の接続口は栓材等で閉塞されている。これらのチーズ継手３ａには、図４に示すように一対の脚片３ｄが形成されているが、この脚片３ｄは省略してもよい。なお、横排水管３の始端の継手として、直角エルボ継手や、上記チーズ継手３ａの不要な上流側の接続口を省略した継手などを使用してもよい。
【００２７】
また、上記の伸縮継手３ｂは蛇腹管の両端に接続口を形成したものであって、このような伸縮継手３ｂを介して横排水管３を接続すると、気温差による熱伸縮が吸収されるため、接続部分が外れて漏水する心配がなく、しかも、横排水管３の勾配調整も伸縮継手３ｂによって自由に行える利点がある。
【００２８】
図８に示すように、点検用パネル１ｒの開口１ｕから防水パネル１の排水溝１ｎに突き出したチーズ継手３ａの接続口３ｃ（排水口）の外周面には雄ネジが形成されており、図４，図８に示すように、この雄ネジの形成された接続口３ｃに排水栓３ｅが螺合されてチーズ継手３ａが固定されている。そして、この排水栓３ｅが螺合された接続口３ｃ（排水口）の外側に、ゴミ除けカバー３ｆが嵌着されている。このようにゴミ除けカバー３ｆが嵌着されていると、接続口３（排水口）から横排水管３への大きいゴミの侵入が阻止され、大きいゴミを含まない水が排水溝１ｎの最も深い中央部から接続口３ｃに流れ込み、横排水管３及び縦排水管４を通って排水されるので、ゴミ詰まりをなくすことができる。
【００２９】
横排水管３と縦排水管４は、図１０に示すような接続構造で接続されている。即ち、横排水管３の端部にエルボ継手３ｇが接続されており、このエルボ継手３ｇの下部挿口３ｈが、排水予備樋２ａの端部の開口に下方から挿入された異径継手３ｉの小径上部受口３ｊに、上方から差込み接続されて接着されている。そして、この異径継手３ｉの小径上部受口３ｊと大径下部挿口３ｋとの間の鍔状段部３ｍが排水予備樋２ａの裏面に接着されると共に、異径継手３ｉの大径下部挿口３ｋが大径の縦排水管４に差込み接続されて接着されており、更に、割溝部３ｎが異径継手３ｉの小径上部受口３ｊに形成されている。従って、横排水管３を流れてきた水は、エルボ継手３ｇと異径継手３ｉを通って縦排水管４に流落して排水され、また、排水予備樋２ａの水は、図１０に矢印で示すように、異径継手３ｉの小径上部受口３ｊの割溝部３ｎから大径下部挿口３ｋを通って縦排水管４を流落して排水される。
【００３０】
上記構成の防水構造体は、次の要領でバルコニーに施工される。まず、図１１に示すように、バルコニーの床面７ａに、排水予備樋２ａ，２ｂ，２ｃ，２ｄをコーナー部材２ｅで方形枠状に連結して敷設する。そして、既述したように防湿紙とブチルテープを貼付けて防水処理する。
【００３１】
次いで、図１２に示すように、横排水管３とチーズ継手３ａと伸縮継手３ｂを接続して排水予備樋２ａの内部に配管し、既述したようにエルボ継手３ｇと異径継手を介して横排水管３と縦排水管４を接続する。そして、バルコニー床面７ａの不陸を調整するために、ゴムテープ７ｂをバルコニー床面７ａに貼付ける。
【００３２】
次いで、図１３に示すように、左右の分割パン１１，１２を既述した構造で接合した防水パン１をバルコニーの床面７ａに敷設し、防水パン１の四周縁に沿って下側に排水予備樋２ａ，２ｂ，２ｃ，２ｄが位置するように、且つ、防水パン１の前側板１ａと排水予備樋２ａの前側板２ｆとの間の空間に横排水管３やチーズ継手３ａ等が納まるようにする。そして、既述したように、防水パン１の切欠き部１ｑに点検用パネル１ｒを水密的に脱着可能に取付け、チーズ継手３ａの余った接続口３ｃを排水口として点検用パネル１ｒの開口から防水パン１内側の排水溝１ｎに突出させ、排水栓とゴミ除けカバーを取付けると共に、防水パン１の四周の側壁の上端を既述したようにビード材で防水処理して施工を完了する。
【００３３】
上記のように、本発明の防水構体は施工が簡単で、防水パン１の排水溝１ｎの下側に横排水管３の配管スペースを確保する必要がなく、万一、防水パン１の四周から漏水したり横排水管３の接続部分から漏水するようなことがあったとしても、防水パン１の四周縁に沿って下側に配置された排水予備樋２ａ，２ｂ，２ｃ，２ｄに受け止められるので、優れた防水性を発揮することができる。そして、防水パン１の排水溝１ｎに集められた雨水等は、ゴミ除けカバー３ｆでゴミが除去されてチーズ継手３ａの排水口となる接続口３ｃに流れ込み、横排水管３及び縦排水管４を通って速やかに排水されるので、ゴミ詰まりがなく排水性が良好である。また、排水予備樋２ａ，２ｂ，２ｃ，２ｄに受け止められた水は、前記異径継手３ｉの割溝部３ｎを通って縦排水管４に排水されるので、排水予備樋から溢れる心配がない。しかも、本発明の防水構造体は、点検用パネル１ｒを取り外して防水パン１の裏側や横排水管３の点検、修理などを行えるので、メンテナンスが容易であり、分割タイプの防水パン１の分割パン１１，１２の接合部分の防水パッキンが劣化しても、接合部分から漏水する心配もないなど、多くの顕著な効果を奏する。
【００３４】
以上、一実施形態を例示して本発明の防水構造体を説明したが、本発明はこれのみに限定されるものではなく、例えば、二分割タイプの防水パン１に代えて、三分割タイプ以上の防水パンや、非分割タイプの防水パンを敷設するなど、種々の変更態様を許容し得るものである。
【図面の簡単な説明】
【００３５】
【図１】本発明の一実施形態に係る防水構造体の分解斜視図である。
【図２】同防水構造体の平面図である。
【図３】図２のＡ−Ｂ線に沿った拡大断面図である。
【図４】図２のＡ−Ｃ線に沿った拡大部分断面図である。
【図５】図２のＤ−Ｄ線に沿った拡大部分断面図である。
【図６】図２のＥ−Ｅ線に沿った拡大部分断面図である。
【図７】防水パンの前縁の切欠き部分に点検用パネルを取付ける前の状態を示す部分斜視図である。
【図８】防水パンの前縁の切欠き部分に点検用パネルを取付けた後の状態を示す部分斜視図である。
【図９】排水口にゴミ除けカバーを取付けたところを示す部分斜視図である。
【図１０】同防水構造体における横排水管と縦排水管の接続部分を示す断面図である。
【図１１】同防水構造体の施工手順を説明する斜視図であって、排水予備樋をコーナー部材で方形枠状に連結して敷設したところを示すものである。
【図１２】同防水構造体の施工手順を説明する斜視図であって、横排水管を配管したところを示すものである。
【図１３】同防水構造体の施工手順を説明する斜視図であって、分割タイプの防水パンを敷設したところを示すものである。
【符号の説明】
【００３６】
１    防水パン
１１，１２  分割パン
１ａ  防水パンの前側板
１ｅ  一方の分割パンの支持端縁
１ｆ  他方の分割パンの押え端縁
１ｇ  第一の防水パッキン
１ｈ  第二の防水パッキン
１ｉ  ボルト（止具）
１ｋ  水抜き溝
１ｍ  水抜き孔
１ｎ  排水溝
１ｑ  切欠き部分
１ｒ  点検用パネル
１ｕ  点検用パネルの開口
２ａ，２ｂ，２ｃ，２ｄ  排水予備樋
２ｅ  コーナー部材
２ｆ  排水予備樋の前側板
３    横排水管
３ａ  チーズ継手
３ｂ  伸縮継手
３ｃ  チーズ継手の余った接続口
４    縦排水管
５    排水予備樋の前側板と防水パンの前側板との間の空間部
７ａ  バルコニーの床面
【図１】
2006193961.tif 000003
【図２】
2006193961.tif 000004
【図３】
2006193961.tif 000005
【図４】
2006193961.tif 000006
【図５】
2006193961.tif 000007
【図６】
2006193961.tif 000008
【図７】
2006193961.tif 000009
【図８】
2006193961.tif 000010
【図９】
2006193961.tif 000011
【図１０】
2006193961.tif 000012
【図１１】
2006193961.tif 000013
【図１２】
2006193961.tif 000014
【図１３】
2006193961.tif 000015